(57)【要約】【課題】携帯型電子ゲーム機の画像表示機能を拡張して、より迫力のある画像をユーザに提供すること。【解決手段】画像表示部を有する携帯型電子ゲーム機に装着される表示機能拡張装置であって、前記画像表示部に臨む開口部を備えた中空体と、前記中空体に設けられ、前記中空体の内部を覗くための覗き窓部と、前記中空体の内部に設けられた表示体と、前記中空体の内部において前記覗き窓部と前記表示体との間に配設され、前記画像表示部が表示する画像を前記覗き窓部へ反射するハーフミラーと、を備えたことを特徴とする。【選択図】図３
2009136398.tif 000002
【特許請求の範囲】
【請求項１】
画像表示部を有する携帯型電子ゲーム機に装着される表示機能拡張装置であって、
前記画像表示部に臨む開口部を備えた中空体と、
前記中空体に設けられ、前記中空体の内部を覗くための覗き窓部と、
前記中空体の内部に設けられた表示体と、
前記中空体の内部において前記覗き窓部と前記表示体との間に配設され、前記画像表示部が表示する画像を前記覗き窓部へ反射するハーフミラーと、
を備えたことを特徴とする表示機能拡張装置。
【請求項２】
前記表示体が立体物であることを特徴とする請求項１に記載の表示機能拡張装置。
【請求項３】
前記中空体に設けられ、外部光により前記表示体を照らす採光用窓部を更に備えたことを特徴とする請求項１に記載の表示機能拡張装置。
【請求項４】
前記採光用窓部が光透過性の部材であることを特徴とする請求項３に記載の表示機能拡張装置。
【請求項５】
前記中空体の内部に設けられ、前記画像表示部が表示する画像を前記ハーフミラーへ反射する反射部を更に備えたことを特徴とする請求項１乃至４のいずれか１項に記載の表示機能拡張装置。
【請求項６】
前記中空体の内部において前記開口部と前記覗き窓部との間に配設され、前記画像表示部が表示する画像を拡大するレンズを更に備えたことを特徴とする請求項１乃至５のいずれか１項に記載の表示機能拡張装置。
【請求項７】
前記携帯型電子ゲーム機が、前記画像表示部の周囲に設けられたスピーカ部を備え、
前記表示機能拡張装置は前記スピーカ部を避けた位置において前記携帯型電子ゲーム機に装着可能であることを特徴とする請求項１乃至６のいずれか１項に記載の表示機能拡張装置。
【請求項８】
前記携帯型電子ゲーム機が、
本体部と、
前記本体部に対して開閉可能な蓋部と、
前記本体部の、前記蓋部との合わせ面側に設けられた第１の画像表示部と、
前記蓋部の、前記本体部との合わせ面側に設けられた第２の画像表示部と、
を備えた折り畳み式の携帯型電子ゲーム機であり、
前記表示機能拡張装置は、
前記開口部が前記第２の画像表示部に臨むよう、前記蓋部に装着されることを特徴とする請求項１乃至７のいずれか１項に記載の表示機能拡張装置。
【発明の詳細な説明】
【技術分野】
【０００１】
本発明は、携帯型電子ゲーム機に装着されて、その機能を拡張する装置に関し、特に、画像表示機能を拡張させる技術に関する。
【背景技術】
【０００２】
携帯型電子ゲーム機は、その携帯性確保のため、携帯型電子ゲーム機自体が有する機能は左程多くない。そこで、オプションとして携帯型ゲーム機に、その機能を拡張する装置を装着するという発想がある。例えば、特許文献１には携帯型ゲーム機に装着される照明装置が開示されている。
【０００３】
【特許文献１】特開２０００−２７９６４１号公報
【発明の開示】
【発明が解決しようとする課題】
【０００４】
携帯型電子ゲーム機は、その携帯性によりどこでもゲームを楽しめるという利点を有する反面、その画像表示部が小さく、画像の迫力においては家庭用ゲーム機やパソコン等と比べると大きく劣る。
【０００５】
そこで、本発明は、携帯型電子ゲーム機の画像表示機能を拡張して、より迫力のある画像をユーザに提供することにある。
【課題を解決するための手段】
【０００６】
本発明によれば、画像表示部を有する携帯型電子ゲーム機に装着される表示機能拡張装置であって、前記画像表示部に臨む開口部を備えた中空体と、前記中空体に設けられ、前記中空体の内部を覗くための覗き窓部と、前記中空体の内部に設けられた表示体と、前記中空体の内部において前記覗き窓部と前記表示体との間に配設され、前記画像表示部が表示する画像を前記覗き窓部へ反射するハーフミラーと、を備えたことを特徴とする表示機能拡張装置が提供される。
【０００７】
本発明では、前記画像表示部が表示する画像が前記ハーフミラーで反射され、前記覗き窓部を覗くユーザに提示される。前記ハーフミラーを前記覗き窓部と前記表示体との間に配置したことで、ユーザには前記画像表示部が表示する画像と前記表示体とが合成された３次元的な画像が見えることになる。したがって、より迫力のある画像をユーザに提供することができる。
【発明の効果】
【０００８】
以上述べた通り、本発明によれば、携帯型電子ゲーム機の画像表示機能を拡張して、より迫力のある画像をユーザに提供することができる。
【発明を実施するための最良の形態】
【０００９】
＜第１実施形態＞
図１は本発明の一実施形態に係る表示機能拡張装置Ａと、携帯型電子ゲーム機１００と、の斜視図、図２は表示機能拡張装置Ａを携帯型電子ゲーム機１００に装着した態様を示す図、図３は表示機能拡張装置Ａの断面図である。
【００１０】
携帯型電子ゲーム機１００は、液晶ディスプレイ等の電子画像を表示する画像表示部１０１と、各種の操作部１０２ａ乃至１０２ｄと、を備える。ユーザは、画像表示部１０１に表示される画像を見つつ、例えば、操作部１０２ａ乃至１０２ｃを操作することでゲームを行う。
【００１１】
表示機能拡張装置Ａは、中空体１０を備える。本実施形態の場合、中空体１０はその外形が略五角柱状をなす箱体であり、その内部が外部から遮蔽するよう、例えば、不透明な部材又は不透明となるよう着色されている。中空体１０の、装着状態で底部となる部分には、中空体１０の内部空間に連通した開口部１１が設けられている。開口部１１は、周縁部１１ａに規定されて画像表示部１０１の外形に応じた長方形状をなしており、装着状態では画像表示部１０１に臨んで、画像表示部１０１の画像が中空体１０の内部に導かれる。本実施形態では、周縁部１１ａは、装着状態で画像表示部１０１の略全体を囲むように形成されている。
【００１２】
本実施形態では、開口部１１は保護板１１ｂを設けてこれを封鎖し、中空体１０の内部を外部から保護するようにしている。保護板１１ｂは、画像表示部１０１の画像が中空体１０の内部に導かれることを妨げないように、透明又は半透明の部材としている。なお、保護板１１ｂを設けない構成であってもよい。
【００１３】
中空体１０の、装着状態で正面部となる部分には、中空体１０の内部を覗くための覗き窓部１２が設けられている。本実施形態の場合、覗き窓部１２は、例えば、透明又は半透明等の光透過性を有する部材１２ａにより構成しているが、単に開口部としてもよい。部材１２ａは、中空体１０とは別部材としてもよいし、同一部材としてもよい。同一部材とする場合、中空体１０を光透過性を有する材料から構成し、覗き窓部１２以外の部分が不透明となるように着色したり、或いは、不透明なシートで覆うようにしてもよい。
【００１４】
本実施形態の場合、中空体１０には、携帯型電子ゲーム機１００に表示機能拡張装置Ａを保持するための保持部１３を設けている。保持部１３は、その一端が、中空体１０の装着状態で背面となる部分に一体的に固定され、その他端が正面側に延設されて開放端となっている。しかして、保持部１３と周縁部１１ａとの間に携帯型電子ゲーム機１００を差し込むことにより、保持部１３の弾性力により保持部１３と周縁部１１ａとにより携帯型電子ゲーム機１００を狭持し、これにより表示機能拡張装置Ａが保持される。なお、携帯型電子ゲーム機１００に表示機能拡張装置Ａを保持するための保持部１３としては、この構成に限らず、種々の構成を採用できる。
【００１５】
中空体１０の内部には、表示体２０が設けられている。本実施形態では、表示体２０は立体物であるが、絵が描かれた平面的な表示媒体であってもよい。表示体２０は、電子画像を表示する表示装置や電気駆動により可動する可動物としてもよいが、この場合、電源を必要とするので、電源を必要としない、静止物、表示媒体が好ましい。
【００１６】
図４は、表示体２０の正面図であり、本実施形態の場合、表示体２０は、ライブハウスのステージを模した立体模型としている。表示体２０は、図４に示すその正面が、覗き窓部１２を介して外部から視認できるように配置されている。表示体２０は、中空体１０の内部に設けた支持部材１４に支持されている。支持部材１４の一端は中空体１０に固定されている。
【００１７】
中空体１０には、また、外部光により表示体２０を照らす採光用窓部１５が設けられている。本実施形態の場合、採光用窓部１５は、例えば、透明又は半透明等の光透過性を有する部材１５ａにより構成しているが、単に開口部としてもよい。部材１５ａは、中空体１０とは別部材としてもよいし、同一部材としてもよい。同一部材とする場合、中空体１０を光透過性のある材料から構成し、採光用窓部１５以外の部分が不透明となるように着色したり、或いは、不透明なシートで覆うようにしてもよい。
【００１８】
中空体１０の内部には、覗き窓部１２と表示体２０との間に配設されたハーフミラー３０が設けられている。ハーフミラー３０は、画像表示部１０１が表示する画像を覗き窓部１２へ反射するよう、その配置角度が設定されている。ハーフミラー３０は、支持部材１４と中空体１０とにより支持されている。
【００１９】
係る構成からなる表示機能拡張装置Ａでは、図３に示すように画像表示部１０１が表示する画像がハーフミラー３０で略９０度反射され、覗き窓部１２を覗くユーザに提示される。ハーフミラー３０を覗き窓部１２と表示体２０との間に配置したことで、ユーザには、ハーフミラー３０から透けて表示体２０も見えることになる。このため、ユーザには画像表示部１０１が表示する画像と表示体２０とが合成された３次元的な画像が見えることになる。したがって、より迫力のある画像をユーザに提供することができる。
【００２０】
図６は、ユーザに提示される、画像表示部１０１が表示する画像と表示体２０とが合成された３次元的な画像の例を示す。画像表示部１０１が表示する画像１０１’は３人のキャラクタ画像であり、表示体２０の手前に浮いたように見えることになる。ここで、中空体１０の内部は、上記の通り、外部から遮蔽されているため、暗くなっており、表示体２０をユーザが視認しずらい場合があるが、本実施形態では、採光用窓部１５を設けて外部光により表示体２０を照らすようにしているので、表示体２０の視認性を向上できる。
【００２１】
なお、ハーフミラー３０により、画像表示部１０１が表示する画像１０１’はユーザからは上下が反転して見ることになる。したがって、図５に示すように、画像表示部１０１には、上下が反転した画像１０１’を表示させることで、図６のような画像がユーザに提示されることになる。なお、携帯型電子ゲーム機１００のユーザによっては、表示機能拡張装置Ａを使用しない場合も想定される。この場合、携帯型電子ゲーム機１００において、画像表示部１０１の表示態様を、表示機能拡張装置Ａを使用する場合と使用しない場合とでユーザが選択できるようにすればよい。
【００２２】
＜第２実施形態＞
上記第１実施形態のように、画像表示部１０１が表示する画像をハーフミラー３０で反射すると、ユーザの目からハーフミラー３０までの距離とハーフミラー３０から画像表示部１０１までの距離とを足した距離だけ、ユーザの目が画像表示部１０１から離れた状態となり、ユーザに見える画像はその距離の分だけ小さく見えることになり、ユーザが違和感を感じる場合がある。
【００２３】
そこで、本実施形態では、画像表示部１０１が表示する画像を拡大するレンズを設けている。図７は、本発明の第２実施形態に係る表示機能拡張装置Ａの断面図である。本実施形態では、中空体１０の内部において、開口部１１と覗き窓部１２との間の位置にレンズ４０を配設している。レンズ４０は支持部材４０ａに支持され、支持部材４０ａを介して中空体１０に固定されている。
【００２４】
本実施形態では、画像表示部１０１が表示する画像がレンズ４０で拡大されてハーフミラー３０で反射される。したがって、ユーザに見える画像が、上記第１実施形態の構成よりも大きくなり、ユーザが違和感を感じることを防止できる。
【００２５】
なお、本実施形態では、ハーフミラー３０と開口部１１との間の位置にレンズ４０を設けたが、ハーフミラー３０と覗き窓部１２との間の位置としてもよい。また、覗き窓部１２を構成する部材１２ａをレンズとしてもよい。
【００２６】
＜第３実施形態＞
上記第１及び第２実施形態では、表示体２０が表示機能拡張装置Ａに固有のものとしたが、本実施形態では表示体２０を交換可能とする。これにより、様々な表示体２０を選択的に楽しむことができる。
【００２７】
図８は本発明の第３実施形態に係る表示機能拡張装置Ａの断面図である。同図の例では、中空体１０の一部１０ａが分離可能に構成されており、一部１０ａは中空体１０に設けた開口部１０ｂに嵌合可能になっている。表示体２０は一部１０ａに固定されている。しかして、使用状態においては、図８の左側に示すように、一部１０ａを開口部１０ｂに嵌合して開口部１０ｂを封鎖した状態とする。これにより、表示体２０は中空体１０の内部に位置する。
【００２８】
表示体２０を交換する場合は、図８の右側に示すように、一部１０ａを中空体１０から分離する。表示体２０の代わりとなる別の表示体は、一部１０ａに選択的に装着されるようにしてもよいし、表示体と一部１０ａとをセットとして、このセット単位で交換するようにしてもよい。
【００２９】
＜第４実施形態＞
上記第１乃至第３実施形態では、画像表示部１０１が表示する画像をハーフミラー３０で直接反射するようにしたが、画像表示部１０１が表示する画像をハーフミラー３０へ反射する反射部を更に設けてもよい。これにより、覗き窓部１２の位置の自由度向上や、画像表示部１０１が表示する画像の上下反転を不要とすることができる。
【００３０】
図９は、本発明の第４実施形態に係る表示機能拡張装置Ｂを携帯型電子ゲーム機１００に装着した態様を示す図、図１０は表示機能拡張装置Ｂの断面図である。
【００３１】
表示機能拡張装置Ｂは、中空体１０’を備える。中空体１０’の構成は、上記の中空体１０と同様である。中空体１０’の、装着状態で底部となる部分には、上記の開口部１１と同様の開口部１１’が設けられており、開口部１１’は、周縁部１１ａ’に規定されて画像表示部１０１の外形に応じた長方形状をなしている。
【００３２】
上記の表示機能拡張装置Ａと同様に、本実施形態でも開口部１１’は、保護板１１ｂと同様の保護板１１ｂ’を設けてこれを封鎖し、中空体１０’の内部を外部から保護するようにしている。
【００３３】
中空体１０’の、装着状態で上面部となる部分には、中空体１０’の内部を覗くための覗き窓部１２’が設けられている。覗き窓部１２’は、上記の表示機能拡張装置Ａの覗き窓部１２と位置を除き同様であり、覗き窓部１２’は、部材１２と同様の部材１２ａ’により構成している。
【００３４】
上記の表示機能拡張装置Ａと同様に、中空体１０’には、携帯型電子ゲーム機１００に表示機能拡張装置Ｂを保持するための保持部１３’を設けている。保持部１３’は、上記の保持部１３と同様である。
【００３５】
中空体１０’の内部には、表示体２０が設けられている。本実施形態の場合、覗き窓部１２’を中空体１０’の上面に形成しているため、表示体２０は、その正面が上方を向くように配置されている。中空体１０’には、外部光により表示体２０を照らす採光用窓部１５’が設けられている。採光用窓部１５’は、その位置を除いて上記の採光用窓部１５と同様である。
【００３６】
中空体１０’の内部には、覗き窓部１２’と表示体２０との間に配設されたハーフミラー３０’が設けられている。また、中空体１０’の内部には、複数の反射部５０ａ乃至５０ｃが設けられている。反射部５０ａ乃至５０ｃは、本実施形態の場合、画像を全反射する通常のミラーである。反射部５０ａとハーフミラー３０’並びに表示体２０は、支持部材１４’を介して中空体１０’に支持され、反射部５０ｂ及び５０ｃは中空体１０’に直接支持されている。
【００３７】
係る構成からなる表示機能拡張装置Ｂでは、図１０に示すように、画像表示部１０１が表示する画像が各反射部５０ａ乃至５０ｃで略９０度ずつ反射され、ハーフミラー３０’へ導かれる。そして、ハーフミラー３０’で更に９０度反射されて、覗き窓部１２’を覗くユーザに提示される。
【００３８】
ハーフミラー３０’を覗き窓部１２’と表示体２０との間に配置したことで、ユーザには、ハーフミラー３０’から透けて表示体２０も見えることになる。このため、ユーザには画像表示部１０１が表示する画像と表示体２０とが合成された３次元的な画像が見えることになる。したがって、より迫力のある画像をユーザに提供することができる。
【００３９】
また、中空体１０’の内部は、外部から遮蔽されているため、暗くなっており、表示体２０をユーザが視認しずらい場合があるが、本実施形態では、採光用窓部１５’を設けて外部光により表示体２０を照らすようにしているので、表示体２０の視認性を向上できる。
【００４０】
本実施形態の場合、ハーフミラー３０’と反射部５０ａ乃至５０ｃによる画像の反射回数が偶数回（４回）となっている。したがって、表示機能拡張装置Ａのように画像表示部１０１が表示する画像はユーザからは反転して見ることにはならず、画像表示部１０１の表示態様を、表示機能拡張装置Ｂを使用する場合と使用しない場合とで切り分ける必要がない。また、反射部５０ａ乃至５０ｃの数や配置により、覗き窓部１２’の位置の自由度が向上する。
【００４１】
なお、上記第２及び第３実施形態を本実施形態に適用できることはいうまでもない。本実施形態の場合、画像の反射回数が多いため、覗き窓部１２’から画像を見た場合、画像が小さく（遠くに）見え易い。したがって、上記第２実施形態を本実施形態に適用することは特に有益である。
【００４２】
＜第５実施形態＞
上記の表示機能拡張装置Ａ及びＢは、折り畳み式の携帯型電子ゲーム機にも適用できる。図１１は、折り畳み式の携帯型電子ゲーム機２００の例を示す図であり、上側が閉じた状態（畳んだ状態）、下側が開いた上体を示す。
【００４３】
携帯型電子ゲーム機２００は、本体部２０１と、本体部２０１に対して開閉可能な蓋部２０２と、を備える。本体部２０１の、蓋部２０２との合わせ面側には、液晶ディスプレイ等の電子画像を表示する画像表示部２０３が設けられる一方、蓋部２０２の、本体部２０１との合わせ面側にも、液晶ディスプレイ等の電子画像を表示する画像表示部２０４が設けられている。そして、ゲームを行うときは、携帯型電子ゲーム機２００は、蓋部２０２を開いた状態で行い、ゲームを行わないときには蓋部２０２が閉じられる。
【００４４】
本体部２０１には、更に、各種の操作部２０１ａ及び２０１ｂが設けられ、蓋部２０２には、画像表示部２０４の周囲に、効果音等を出力するスピーカ部２０２ａが設けられている。
【００４５】
ユーザは、画像表示部２０３、２０４に表示される画像を見つつ、操作部２０１ａ及び２０１ｂを操作することでゲームを行う。画像表示部２０３には、例えば、ゲームの進行に関する画像が表示され、画像表示部２０４には、例えば、ゲームを盛り上げる演出画像が表示される。例えば、実際に存在するスロットマシン（パチスロ）のプログラムを携帯型電子ゲーム機２００に移植して、携帯型電子ゲーム機２００においてスロットマシンと同様の遊技を行えるようにした場合には、画像表示部２０３にはリールに相当する画像等を表示し、画像表示部２０４にはスロットマシンの演出用の画像表示装置が表示する演出画像を表示する。
【００４６】
図１２は、上記の表示機能拡張装置Ｂを携帯型電子ゲーム機２００に装着した状態を示す。なお、同図の表示機能拡張装置Ｂは、外形の寸法が異なる以外は上記の表示機能拡張装置Ｂと同じ構成である。表示機能拡張装置Ｂは、開口部１１’が画像表示部２０４に臨むよう、蓋部２０２に装着されている。また、表示機能拡張装置Ｂは、スピーカ部２０２ａを避けた位置において携帯型電子ゲーム機２００に装着可能なように、その外形が設計されている。これにより、スピーカ部２０２ａから出力される効果音等が、聞こえ難くなったり、表示機能拡張装置Ｂを振動（びびり）させるようなことがない。
【００４７】
しかして、ユーザは、画像表示部２０３が表示する画像については、これを直接的に視認して、画像表示部２０４が表示する画像については、表示機能拡張装置Ｂを介して視認して、ゲームを行う。画像表示部２０４が表示する画像については、表示機能拡張装置Ｂの働きにより、３次元的に見えることから、ゲームの演出効果を高められる。
【図面の簡単な説明】
【００４８】
【図１】本発明の第１実施形態に係る表示機能拡張装置Ａと、携帯型電子ゲーム機１００と、の斜視図である。
【図２】表示機能拡張装置Ａを携帯型電子ゲーム機１００に装着した態様を示す図である。
【図３】表示機能拡張装置Ａの断面図である。
【図４】表示体２０の正面図である。
【図５】画像表示部１０１が表示する画像１０１’の例を示す図である。
【図６】ユーザに提示される、画像表示部１０１が表示する画像と表示体２０とが合成された３次元的な画像の例を示す図である。
【図７】本発明の第２実施形態に係る表示機能拡張装置Ａの断面図である。
【図８】本発明の第３実施形態に係る表示機能拡張装置Ａの断面図である。
【図９】本発明の第４実施形態に係る表示機能拡張装置Ｂを携帯型電子ゲーム機１００に装着した態様を示す図、
【図１０】図１０は表示機能拡張装置Ｂの断面図である。
【図１１】折り畳み式の携帯型電子ゲーム機２００の例を示す図であり、上側が閉じた状態（畳んだ状態）、下側が開いた上体を示す。
【図１２】表示機能拡張装置Ｂを携帯型電子ゲーム機２００に装着した状態を示す図である。
【符号の説明】
【００４９】
Ａ、Ｂ  表示機能拡張装置
１００  携帯型電子ゲーム機
【図１】
2009136398.tif 000003
【図２】
2009136398.tif 000004
【図３】
2009136398.tif 000005
【図４】
2009136398.tif 000006
【図５】
2009136398.tif 000007
【図６】
2009136398.tif 000008
【図７】
2009136398.tif 000009
【図８】
2009136398.tif 000010
【図９】
2009136398.tif 000011
【図１０】
2009136398.tif 000012
【図１１】
2009136398.tif 000013
【図１２】
2009136398.tif 000014